(57)【要約】【課題】記録媒体に形成された測定用画像を高精度に測定すること。【解決手段】画像形成装置１００は記録媒体１１０の種類を示す情報を取得し、取得された種類を示す情報に応じてカラーセンサ１７０の蓄積時間を決定する。画像形成装置１００が複数の色剤を用いて測定用画像を記録媒体１１０に形成すると、カラーセンサ１７０は決定された蓄積時間にわたって測定用画像からの反射光を蓄積することで測定用画像の分光反射率を測定する。【選択図】  図１
2017151174.tif 000002
【特許請求の範囲】
【請求項１】
記録媒体上に画像を形成する画像形成手段と、
前記記録媒体上に形成された測定用画像を測定する測定手段と、
前記画像形成手段に、前記記録媒体上に前記測定用画像を形成させ、前記測定手段に、前記記録媒体上の前記測定用画像を蓄積時間に基づいて測定させる制御手段と、
前記測定用画像が形成される前記記録媒体の種類を示す情報を取得する取得手段と、
前記取得手段により取得された前記情報に基づいて前記蓄積時間を決定する決定手段と、
を有することを特徴とする画像形成装置。
【請求項２】
前記決定手段は、前記測定用画像が第１の記録媒体に形成される場合には、前記蓄積時間を第１蓄積時間に決定し、
前記決定手段は、前記測定用画像が第２の記録媒体に形成される場合には、前記蓄積時間を前記第１蓄積時間より長い第２蓄積時間に決定し、
前記第１の記録媒体から反射される光の強度は、前記第２の記録媒体から反射される光の強度よりも高いことを特徴とする請求項１に記載の画像形成装置。
【請求項３】
前記取得手段は、操作者により入力される前記種類を示す情報を取得することを特徴とする請求項１または２に記載の画像形成装置。
【請求項４】
前記取得手段は、前記記録媒体に光を照射する発光素子と、前記記録媒体からの反射光を受光する受光素子とを備え、前記受光素子から出力される信号強度に基づいて前記記録媒体の種類を判別する判別手段であることを特徴とする請求項１または２に記載の画像形成装置。
【請求項５】
前記画像形成手段は、それぞれ光学濃度の異なる複数の測定用画像を前記記録媒体に形成するように構成されており、
前記決定手段は、さらに、前記複数の測定用画像のそれぞれの光学濃度と前記取得手段により取得された種類を示す情報との組み合わせに応じて各測定用画像ごとに前記蓄積時間を決定することを特徴とする請求項１ないし４のいずれか一項に記載の画像形成装置。
【請求項６】
光学濃度と記録媒体の種類との組み合わせに応じた蓄積時間を登録したテーブルをさらに有し、
前記決定手段は、前記テーブルを参照することで、前記複数の測定用画像のそれぞれの光学濃度と前記取得手段により取得された種類を示す情報との組み合わせに対応する各測定用画像ごとの前記蓄積時間を決定することを特徴とする請求項５に記載の画像形成装置。
【請求項７】
前記複数の測定用画像のそれぞれの光学濃度と前記取得手段により取得された種類を示す情報との組み合わせに応じて一つの測定用画像に対して前記測定手段が測定を行う測定回数を設定する設定手段をさらに有し、
前記測定手段は、前記設定手段により設定された測定回数に応じて各測定用画像の測定を実行することを特徴とする請求項５または６に記載の画像形成装置。
【請求項８】
前記記録媒体の搬送方向における前記測定用画像の長さを前記記録媒体の搬送速度で除算して得られる前記測定用画像の通過時間と比較し、前記測定用画像の前記蓄積時間と前記測定回数との積は小さいことを特徴とする請求項７に記載の画像形成装置。
【請求項９】
前記測定回数を用いて前記測定手段の測定結果の平均値を決定する平均化手段をさらに有することを特徴とする請求項７または８に記載の画像形成装置。
【請求項１０】
前記蓄積時間はインデックスにより識別されることを特徴とする請求項１ないし９のいずれか一項に記載の画像形成装置。
【請求項１１】
前記測定手段に使用された蓄積時間と予め基準値として定められた基準蓄積時間との比で前記測定手段により測定された測定結果である分光反射率を除算する演算手段をさらに有することを特徴とする請求項１ないし１０のいずれか一項に記載の画像形成装置。
【請求項１２】
前記測定手段により測定された分光反射率を用いてカラーマッチングのための変換テーブルを作成する作成手段をさらに有することを特徴とする請求項１ないし１１のいずれか一項に記載の画像形成装置。
【請求項１３】
前記記録媒体を搬送する搬送手段をさらに有し、
前記測定手段は、前記搬送手段により搬送されている前記記録媒体に形成されている前記測定用画像から分光反射率を測定することを特徴とする請求項１ないし１２のいずれか一項に記載の画像形成装置。
【請求項１４】
前記画像形成手段は、トナーにより形成された測定用画像を前記記録媒体に定着させる定着手段を有し、
前記測定手段は、前記定着手段を通過してきた前記記録媒体を搬送する搬送路に設けられていることを特徴とする請求項１ないし１３のいずれか一項に記載の画像形成装置。
【請求項１５】
前記搬送路は、一面目に画像が形成された記録媒体の二面目に画像を形成させるために前記記録媒体の搬送方向を反転させて、再び当該記録媒体を前記画像形成手段に給紙するための搬送路であることを特徴とする請求項１４に記載の画像形成装置。
【請求項１６】
記録媒体の種類を示す情報を取得する取得手段と、
前記取得手段により取得された種類を示す情報に応じて蓄積時間を決定する決定手段と、
複数の色剤を用いて前記記録媒体に形成された測定用画像からの反射光を、前記決定手段により決定された蓄積時間にわたって蓄積することで前記測定用画像の分光反射率を測定する測定手段と
を有することを特徴とするカラーセンサ。
【発明の詳細な説明】
【技術分野】
【０００１】
本発明は画像形成装置およびカラーセンサに関する。
【背景技術】
【０００２】
市場には様々な画像形成方式を採用した画像形成装置が普及しているが、画像形成方式が異なっても形成される画像の色は一致すること（カラーマッチング）が求められている。このようなカラーマッチングを実現するために、ＩＣＣ（Ｉｎｔｅｒｎａｔｉｏｎａｌ  Ｃｏｌｏｒ  Ｃｏｎｓｏｒｔｉｕｍ）プロファイルと呼ばれる多次元ＬＵＴ（ルックアップテーブル）が提案されている。ＩＣＣプロファイルにはイメージスキャナ等の入力機器用の入力ＩＣＣプロファイルとプリンタやディスプレイ等の出力機器用の出力ＩＣＣプロファイルがある。入力機器で取得された画像データは、一旦、入力ＩＣＣプロファイルにより機種に依存しない色空間（ＣＩＥ  Ｌ＊ａ＊ｂ＊色空間）のデータに変換される。ＣＩＥは国際照明委員の略称である。そのデータが出力機器に固有の出力ＩＣＣプロファイルで変換されて画像として出力される。したがって、ＩＣＣプロファイルを精度よく生成すれば、精度のよいカラーマッチングが実現される。
【０００３】
ＩＣＣプロファイルなどの変換テーブルを生成するためには、記録媒体上に形成された測定用画像をカラーセンサで読み取る必要がある（特許文献１）。測定用画像の画像濃度に応じてカラーセンサで必要となる蓄積時間（カメラの露光時間のようなもの）が異なるため、測定用画像の画像濃度に応じて蓄積時間を調整することが提案されている（特許文献２）。
【先行技術文献】
【特許文献】
【０００４】
【特許文献１】特開２００４−８６０１３号公報
【特許文献２】特開２００７−１２１５１０号公報
【発明の概要】
【発明が解決しようとする課題】
【０００５】
特許文献２によれば、測定用画像の画像濃度に応じてカラーセンサの蓄積時間を調整することで、測定結果の飽和を抑制することが可能となる。しかし、発明者の研究によれば、このような測定結果の飽和は記録媒体の種類に依存して発生することがわかってきた。つまり、光沢紙など、表面の反射率の大きな記録媒体と反射率の小さな記録媒体とにそれぞれ同一の画像濃度の測定用画像を形成すると、表面の反射率の大きな記録媒体上の測定用画像の測定結果が飽和しやすい。そこで、本願発明は、記録媒体に形成された測定用画像を高精度に測定することを目的とする。
【課題を解決するための手段】
【０００６】
本発明によれば、たとえば、
記録媒体上に画像を形成する画像形成手段と、
前記記録媒体上に形成された測定用画像を測定する測定手段と、
前記画像形成手段に、前記記録媒体上に前記測定用画像を形成させ、前記測定手段に、前記記録媒体上の前記測定用画像を蓄積時間に基づいて測定させる制御手段と、
前記測定用画像が形成される前記記録媒体の種類を示す情報を取得する取得手段と、
前記取得手段により取得された前記情報に基づいて前記蓄積時間を決定する決定手段と、
を有することを特徴とする画像形成装置が提供される。
【発明の効果】
【０００７】
本発明によれば、記録媒体の種類に応じて蓄積時間を設定するので、記録媒体に形成された測定用画像を高精度に測定できる。
【図面の簡単な説明】
【０００８】
【図１】画像形成装置を示す概略断面図
【図２】カラーセンサの構成を示す図
【図３】カラーセンサの制御系を示すブロック図
【図４】画像処理に関する機能を示す図
【図５】分光反射率の測定法を示すフローチャート
【図６】蓄積パターンと測定回数を決定するためのテーブルを示す図
【図７】複数のパッチ画像が形成されたシートを示す図
【図８】パッチ画像と記録媒体からの反射光を説明する図
【図９】蓄積パターンと分光反射率との関係を示す図
【図１０】パッチ画像の測定タイミングを示すタイミングチャート
【発明を実施するための形態】
【０００９】
以下に本発明にかかる実施例の一つが示される。本実施例は記録媒体（シート）の種類に応じてパッチ画像を測定する測定手段の蓄積時間を調整することを可能とする。その結果、高精度にパッチ画像の画像濃度を測定することも可能となる。さらに、このような測定結果を用いてＩＣＣプロファイル等の変換テーブルを作成すれば、カラーマッチングの精度も向上する。
【００１０】
＜画像形成装置＞
図１に示された画像形成装置１００は電子写真方式のレーザビームプリンタである。しかし、画像形成方式は電子写真方式に限定されず、インクジェット方式、昇華方式、熱転写方式などであってもよい。なぜなら、本発明の特徴は蓄積時間を記録媒体の種類に応じて可変設定可能することにあるからである。画像形成装置１００の筐体１０１には画像形成エンジンを構成するための各種の機械的な機構と電気的な機構とが含まれている。
【００１１】
感光ドラム１０５は、静電潜像やトナー画像を担持する像担持体である。一次帯電器１１１は感光ドラム１０５の表面を一様に帯電させる。レーザスキャナ１０７は露光手段の一例であり、画像データに応じてレーザビームを出力する光源１０８と、レーザビームを感光ドラム１０５に導く反射ミラー１０９を有している。レーザスキャナ１０７にはレーザビームを主走査方向に走査するための回転多面鏡や共振ミラーなどの走査手段も設けられている。レーザビームによって感光ドラム１０５には静電潜像が形成される。現像器１１２はトナーなどの現像剤を用いて静電潜像を現像し、トナー画像を形成する。そして、感光ドラム１０５上のトナー画像は一次転写ローラ１１５によって中間転写体１０６上に転写される。多色画像が形成されるときには、Ｙ（イエロー）ステーション１２０、Ｍ（マゼンタ）ステーション１２１、Ｃ（シアン）ステーション１２２、Ｋ（ブラック）ステーション１２３からそれぞれの色のトナー画像が中間転写体１０６上に順次転写される。各ステーションの構成は色剤（トナー色）を除いて基本的に共通であってもよい。これらのステーションは複数の色剤を用いてパッチ画像を記録媒体に形成する画像形成手段の一例である。二次転写ローラ１１４は、記録媒体の収納庫１１３から給紙されて搬送路を搬送されてきた記録媒体１１０に対して中間転写体１０６上のトナー画像を転写する。
【００１２】
定着機構は、記録媒体１１０に転写されたトナー画像を熱と圧力を加えて定着させる第一定着器１５０および第二定着器１６０を有している。第一定着器１５０は、記録媒体１１０に熱を加える定着ローラ１５１と、記録媒体１１０を定着ローラ１５１に圧接させる加圧ベルト１５２を有している。定着ローラ１５１と加圧ベルト１５２は回転することで記録媒体１１０を搬送しながら、トナー画像を記録媒体１１０に定着させる。第二定着器１６０は、第一定着器１５０よりも記録媒体１１０の搬送路の下流側に配置されている。第二定着器１６０は、第一定着器１５０により記録媒体１１０上に定着したトナー画像に対してグロスを付加したり、定着性を確保したりする観点から配置されている。第二定着器１６０も、第一定着器１５０と同様に定着ローラ１６１および加圧ローラ１６２を有している。記録媒体１１０の種類（表面性や厚み、坪量など）によっては第二定着器１６０を通す必要が無いものが存在する。搬送路１３０は、エネルギー消費量を低減する観点から第二定着器１６０を迂回して記録媒体１１０を搬送する搬送路である。搬送路を切り替えるためのフラッパ１３１によって記録媒体１１０は搬送路１３０へと誘導される。
【００１３】
両面画像形成が指示されているときや、パッチ画像をカラーセンサ１７０で測定することが指示されているときには、フラッパ１３２が記録媒体１１０を搬送路１３５へ誘導する。これらが指示されていないときは、フラッパ１３２が記録媒体１１０を排出搬送路１３９へ誘導する。シートセンサ１３７が記録媒体１１０の先端または後端を測定してから所定時間後に反転部１３６で記録媒体１１０がスイッチバックする。つまり、記録媒体１１０搬送方向が反転し、先端と後端とが入れ替わる。
【００１４】
パッチ画像を測定するカラーセンサ１７０は搬送路１３５に設けられている。カラーセンサ１７０は決定された蓄積時間にわたってパッチ画像からの反射光を蓄積することでパッチ画像の分光反射率を測定する測定手段として機能する。カラーセンサ１７０は記録媒体１１０の搬送方向において第二定着器１６０よりも下流側の搬送路に設けられれば十分である。そのため、カラーセンサ１７０は両面画像形成のために記録媒体１１０を再びステーションに搬送するための搬送路１３８に搬送されてもよい。このようにパッチ画像を形成された記録媒体１１０を搬送可能な搬送路であれば、カラーセンサ１７０はどの搬送路に設けられてもよい。カラーセンサ１７０は、記録媒体１１０が反転部１３６に向かうときにパッチ画像を読み取ってもよいし、記録媒体１１０が反転部１３６から戻ってきたときにパッチ画像を読み取ってもよい。反転部１３６から戻ってきた記録媒体１１０は、フラッパ１３３によって搬送路１３５に誘導されたり、搬送路１３８に誘導されたりする。また、反転部１３６から戻ってきた記録媒体１１０はさらにフラッパ１３４によって搬送路１３５から排出搬送路１３９へ誘導される。カラーセンサ１７０が定着機構から離れた位置に配置されている理由はサーモクロミズムの影響を低減するためである。つまり、記録媒体１１０の温度が十分に低下するのを待つために、カラーセンサ１７０と定着機構との間には所定の搬送距離が確保されている。なお、各搬送路には記録媒体１１０を搬送するための搬送ローラが設けられている。搬送ローラはモータなどにより駆動されて回転する。
【００１５】
操作パネル１８０は操作者により入力され指示などを受け付ける入力部と、ユーザに情報を表示する表示部とを有している。出力ＩＣＣプロファイルを作成するためのパッチ画像の測定指示も操作パネル１８０から入力される。また、操作パネル１８０は操作者によって入力される種類情報（収納庫１１３に収納されている記録媒体１１０の種類を示す情報）を受け付けてもよい。記録媒体１１０の種類としては、例えば、普通紙、光沢紙など、パッチ画像の分光反射率の測定結果に影響を及ぼす物理パラメータ（表面の反射率など）の違いに関連した種類である。記録媒体１１０の銘柄（製品名）なども表面の反射率を特定するのに役立つ情報であるため、記録媒体１１０の種類を示す種類情報として操作パネル１８０から入力されてもよい。なお、記録媒体１１０の反射率を測定する反射率測定部１７１が搬送路や収納庫１１３などに設けられる場合、操作パネル１８０を通じた種類情報の入力は省略されてもよい。反射率測定部１７１は、一般に、記録媒体１１０の表面に光を照射する発光素子と、表面からの反射光を受光する受光素子とを有している。
【００１６】
＜カラーセンサ＞
図２に示したカラーセンサ１７０は記録媒体１１０上に形成されたパッチ画像２０９を測定（測色）するセンサである。白色ＬＥＤ２０１は、記録媒体１１０上のパッチ画像２０９に光を照射する光源である。ＬＥＤは発光ダイオードの略称である。レンズ２０６はパッチ画像で反射した光を回折格子２０２に集光する光学部品である。回折格子２０２は、波長依存性を有し、トナー画像から反射した光を波長ごとに分光する光学部品である。ラインセンサ２０３はｎ個のＣＭＯＳセンサを有し、回折格子２０２により波長ごとに分解された光を、あらかじめ設定された蓄積時間だけ蓄積する。ＣＭＯＳは相補型の金属酸化膜半導体電界効果トランジスタの略称である。各ＣＭＯＳセンサは画素と呼ばれてもよい。各画素は受光した光の強度値に相当する信号を演算部２０４に出力する。演算部２０４は、各画素の光強度値から分光演算を実行し、分光反射率Ｒ（λ）を決定する。たとえば、波長λは４００ｎｍから７００ｎｍまでの範囲の値をとる。後述するように、本実施例では蓄積時間が記録媒体の種類に応じて可変である。そのため、演算部２０４は、測定に使用された蓄積時間と基準となる蓄積時間との比でもって測定値を除算することで、測定値を正規化してもよい。たとえば、使用された蓄積時間が基準値の２倍であれば、測定値は２で除算される。使用された蓄積時間が基準値の４倍であれば、測定値は４で除算される。メモリ２０５は分光演算に必要となるデータなどを記憶する記憶装置である。記録媒体１１０は矢印Ｆが示す搬送方向に搬送される。
【００１７】
図３に示した制御回路はパッチ画像の測定に関与するユニットを有している。ＣＰＵ３０１はＲＯＭ等の記憶装置に記憶された制御プログラムを実行することでカラーセンサ１７０を制御する。このようなＣＰＵ３０１の機能の一部またはすべてはＦＰＧＡ（フィールドプログラマブルゲートアレイ）やＡＳＩＣ（特定用途集積回路）によって実装されてもよい。たとえば、ＣＰＵ３０１は、白色ＬＥＤ２０１の光量を設定したり、ラインセンサ２０３の蓄積時間を決定したり、ラインセンサ２０３におけるパッチ画像の測定回数を決定したりする。たとえば、ＣＰＵ３０１は、判別部３０２による記録媒体１１０の判別結果に基づき蓄積時間を決定し、決定した蓄積時間を時間設定部２０７に設定する。ラインセンサ２０３は時間設定部２０７に保持されている蓄積時間にわたりパッチ画像からの反射光の蓄積を実行する。また、ラインセンサ２０３は、回数設定部２０８に保持されている測定回数だけ、一つのパッチ画像からの反射光を測定する。なお、蓄積時間は、一回の測定あたりの蓄積時間である。時間設定部２０７や回数設定部２０８はレジスタなどの記憶素子であってもよい。ＣＰＵ３０１は、ラインセンサ２０３の測定結果に対する演算を演算部２０４に指示したり、演算部２０４またはメモリ２０５から演算結果を取得したりする。なお、測定回数の管理をＣＰＵ３０１が実行する場合、回数設定部２０８省略されてもよい。同様に、時間設定部２０７もＣＰＵ３０１に設けられていてもよい。演算部２０４やメモリ２０５もＣＰＵ３０１に内蔵されていてもよい。ＣＰＵ３０１は、カラーセンサ１７０に内蔵されていてもよいし、画像形成装置１００を制御するコントローラに内蔵されていてもよい。後者の場合、ＣＰＵ３０１は、シートセンサ１３７の測定結果に基づき、記録媒体１１０を搬送するためのモータなどを制御してもよい。
【００１８】
図４はＣＰＵ３０１が実現する画像処理機能などを示している。これらの機能には、イメージスキャナやホストコンピュータから入力されたユーザデータ（画像データ）に対してカラーマッチング処理を行って画像形成を実行する機能と、出力プロファイル４０６の作成に関与する機能とが含まれる。出力プロファイル４０６は、たとえば、画像形成装置１００用の出力ＩＣＣプロファイルである。本実施例は、カラーセンサ１７０の制御に特徴があり、カラーマッチングやプロファイル作成に関する機能としては公知の技術を含むいかなる技術が採用されてもよい。図４において破線で示した矢印はユーザデータに基づく画像形成におけるデータの流れを示し、実線の矢印は出力プロファイル４０６の作成におけるデータの流れを示している。ＣＭＭ４００はカラーマネージメントモジュールであり、ＩＣＣプロファイル等の変換テーブルを用いてカラーマッチング処理を実行する。ＣＭＭ４００は入力変換部４０１と出力変換部４０５とを有している。
【００１９】
ユーザデータに基づき記録媒体１１０に画像が形成されるときは、ＲＧＢ形式やＣＭＹＫ形式の画像データが入力変換部４０１に入力される。入力変換部４０１は、入力機器に対応した入力プロファイル４０２、４０３を保持している。入力プロファイル４０２は、たとえば、画像形成装置１００に接続されたイメージスキャナ（画像読取装置）用の入力ＩＣＣプロファイルである。入力プロファイル４０３は、たとえば、カラーセンサ１７０用の入力ＩＣＣプロファイルである。入力変換部４０１は、入力プロファイル４０２を用いてユーザデータを、機種無依存の色空間のデータに変換し、ＣＭＭ４００へ出力する。また、入力変換部４０１は、入力プロファイル４０３を用いて、カラーセンサ１７０の測定結果（測色結果）を、機種無依存の色空間のデータに変換し、プロファイル作成部４１２に出力する。なお、カラーセンサ１７０の測定結果（例：分光反射率Ｒ（λ）はＬａｂ演算部４１１でＬａｂ空間の画像データに変換される。プロファイル作成部４１２は公知の手法を用いて出力プロファイル４０６を作成し、出力変換部４０５に格納する。出力変換部４０５は、出力プロファイル４０６を用いて、入力変換部４０１から出力された画像データを変換し、各ステーションに出力する。
【００２０】
センサ制御部４２１は、白色ＬＥＤ２０１の点灯・消灯や光量を制御する。時間決定部４２２は、パッチ画像の画像濃度や記録媒体１１０の種類に応じて蓄積時間を決定し、時間設定部２０７に格納する。時間設定部２０７は時間決定部４２２に含まれていてもよい。回数決定部４２３は、パッチ画像の画像濃度や記録媒体１１０の種類に応じて測定回数を決定し、回数設定部２０８に格納する。回数設定部２０８は回数決定部４２３に含まれていてもよい。パッチ生成部４２４は、パッチ画像の画像データを生成する生成回路や、または画像データを予め記憶する記憶装置を有している。
【００２１】
＜Ｌａｂ演算＞
Ｌａｂ演算自体はＩＳＯ１３６５５規格で規定されており、既知であるが、念のため説明する。Ｌａｂ演算部４１１は、予め等色関数ｘ（λ）、ｙ（λ）、ｚ（λ）と標準光分光分布ＳＤ５０（λ）を用意しておく。等色関数ｘ（λ）、ｙ（λ）、ｚ（λ）は日本工業規格であるＪＩＳ  Ｚ８７０１に規定されている。同様に、標準光分光分布ＳＤ５０（λ）は、ＪＩＳ  Ｚ８７２０で規定されており、補助標準イルミナントＤ５０とも呼ばれている。これらは事前に求められ、ＲＯＭなどのメモリに記憶されていてもよい。Ｌａｂ演算部４１１は、Ｒ（λ）にｘ（λ）とＳＤ５０（λ）を乗算して積を求める。また、Ｌａｂ演算部４１１は、Ｒ（λ）にｙ（λ）とＳＤ５０（λ）を乗算して積を求める。さらに、Ｌａｂ演算部４１１は、Ｒ（λ）にｚ（λ）とＳＤ５０（λ）を乗算して積を求める。さらに、Ｌａｂ演算部４１１はこれらの積のそれぞれについて積分する（Σ｛Ｒ（λ）・ｘ（λ）・ＳＤ５０（λ）｝、Σ｛Ｒ（λ）・ｙ（λ）・ＳＤ５０（λ）｝、Σ｛Ｒ（λ）・ｚ（λ）・ＳＤ５０（λ）｝）。さらに、Ｌａｂ演算部４１１は、等色関数ｙ（λ）と標準光分光分布ＳＤ５０（λ）との積についても波長積分する（Σ｛ｙ（λ）・ＳＤ５０（λ）｝）。次に、Ｌａｂ演算部４１１は、以下の式にしたがってＸ，Ｙ，Ｚを算出する。
Ｘ＝１００・（Σ｛ｙ（λ）・ＳＤ５０（λ）｝）／Σ｛Ｒ（λ）・ｘ（λ）・ＳＤ５０（λ）｝
Ｙ＝１００・（Σ｛ｙ（λ）・ＳＤ５０（λ）｝）／Σ｛Ｒ（λ）・ｙ（λ）・ＳＤ５０（λ）｝
Ｚ＝１００・（Σ｛ｙ（λ）・ＳＤ５０（λ）｝）／Σ｛Ｒ（λ）・ｚ（λ）・ＳＤ５０（λ）｝
最後にＬａｂ演算部４１１は、以下の式にしたがってＬ*，ａ*，ｂ*を算出する。
Ｌ*＝１１６×（Ｙ／Ｙｎ）＾（１／３）−１６
ａ*＝５００｛（Ｘ／Ｘｎ）＾（１／３）−（Ｙ／Ｙｎ）＾（１／３）｝
ｂ*＝２００｛（Ｙ／Ｙｎ）＾（１／３）−（Ｚ／Ｚｎ）＾（１／３）｝
ここで、Ｘｎ、Ｙｎ、Ｚｎは標準光三刺激値である。たとえば、Ｙ／Ｙｎ＞０．００８８５６であれば、次式が満たされる。
（Ｘ／Ｘｎ）＾（１／３）＝７．７８（Ｘ／Ｘｎ）＾（１／３）＋１６／１１６
（Ｙ／Ｙｎ）＾（１／３）＝７．７８（Ｙ／Ｙｎ）＾（１／３）＋１６／１１６
（Ｚ／Ｚｎ）＾（１／３）＝７．７８（Ｚ／Ｚｎ）＾（１／３）＋１６／１１６
このようにしてＬａｂ演算部４１１は、カラーセンサ１７０により測定された分光反射率Ｒ（λ）をＬ*，ａ*，ｂ*に変換する。
【００２２】
＜フローチャート＞
図５を用いてＣＰＵ３０１が実行するパッチ画像２０９の測定処理について説明する。操作パネル１８０を通じて測定処理の実行がユーザによって指示されると、ＣＰＵ３０１は以下の各ステップを実行する。
【００２３】
Ｓ５０１でＣＰＵ３０１はパッチ画像２０９が形成される記録媒体の種類を判別する。たとえば、ＣＰＵ３０１は、判別部３０２から記録媒体の種類の判別結果を取得する。判別部３０２は収納庫１１３や搬送路に設けられた反射率測定部１７１の測定結果（例：受光素子から出力される信号強度）を用いて記録媒体１１０の種類を判別する。なお、ＣＰＵ３０１または判別部３０２は、操作パネル１８０から入力される種類情報を受け付け、受け付けた種類情報に基づき記録媒体１１０の種類を判別してもよい。このようＣＰＵ３０１や操作パネル１８０は操作者により入力される記録媒体の種類を示す情報を取得する取得手段として機能する。たとえば、ＣＰＵ３０１は、記録媒体１１０の種類を光沢紙または普通紙であると特定する。光沢紙と普通紙とでは表面の反射率が異なるため、種類の違いはパッチ画像の分光反射率の測定結果に影響を及ぼす。したがって、記録媒体１１０の種類に応じてカラーセンサ１７０の蓄積時間を制御するために、種類情報が必要となる。このように、ＣＰＵ３０１や判別部３０２は記録媒体の種類を示す情報を取得する取得手段の一例である。
【００２４】
Ｓ５０２、Ｓ５０３でＣＰＵ３０１（時間決定部４２２、回数決定部４２３）は、記録媒体１１０の種類に応じて蓄積時間と測定回数を決定する。このように、ＣＰＵ３０１や時間決定部４２２は取得された種類を示す情報に応じて蓄積時間を決定する決定手段として機能する。たとえば、種類情報（銘柄、坪量、表面性、反射率など）と蓄積時間（蓄積パターン）とが対応付けられているテーブルを参照することで、記録媒体１１０の種類に応じて蓄積時間が決定されてもよい。同様に、種類情報（銘柄、坪量、表面性、反射率など）と測定回数とが対応付けられてテーブルを参照することで、記録媒体１１０の種類に応じて測定回数が決定されてもよい。なお、蓄積時間と測定回数はさらにパッチ画像２０９の画像濃度も考慮して決定されてもよい。
【００２５】
図６は、記録媒体の種類とパッチ画像との組み合わせに応じて蓄積時間と測定回数を決定するために利用可能なテーブルの一例を示している。図７は記録媒体１１０上に形成された複数のパッチ画像の一例を示している。パッチ画像２０９−１ないしパッチ画像２０９−５は異なる画像信号に基づいて形成された測定用画像である。パッチ画像２０９−１ないしパッチ画像２０９−５は、複数の色（イエロー、マゼンタ、シアン）のトナーを用いて形成される。図６において、テーブルＡは、光沢紙用の蓄積時間と測定回数を決定するために利用されるテーブルである。テーブルＢは、普通紙用の蓄積時間と測定回数を決定するために利用されるテーブルである。テーブルＡ、ＢはＣＰＵ３０１からアクセス可能な記憶装置に記憶されている。テーブルＡ，Ｂには蓄積パターンに対応して蓄積時間が設定されている。このように蓄積時間はアナログ値ではなく、アナログ値を導き出すことが可能なインデックスにより識別されてもよい。ＣＰＵ３０１は記録媒体１１０の種類に応じてテーブルを選択し、選択されたテーブルを参照して各パッチ画像の蓄積時間と測定回数とを決定してもよい。なお、テーブルＡ，Ｂに登録されている蓄積時間と測定回数は、あらかじめ実験を行って決められている。ＣＰＵ３０１や時間決定部４２２は、複数のパッチ画像のそれぞれの光学濃度と記録媒体の種類を示す情報との組み合わせに応じてパッチ画像ごとに蓄積時間を決定する。同様に、ＣＰＵ３０１や回数決定部４２３は、複数のパッチ画像のそれぞれの光学濃度と記録媒体の種類を示す情報との組み合わせに応じてパッチ画像ごとに測定回数を決定する。蓄積パターンと蓄積時間との関係は後述する。
【００２６】
Ｓ５０４でＣＰＵ３０１は各ステーションを制御して記録媒体１１０上にパッチ画像を形成する。たとえば、ＣＰＵ３０１は、パッチ生成部４２４にパッチ画像の画像データを生成させ、画像データを各ステーションに出力する。各ステーションは画像データにしたがってパッチ画像を形成する。
【００２７】
Ｓ５０５でＣＰＵ３０１（センサ制御部４２１）はカラーセンサ１７０の白色ＬＥＤ２０１を点灯する。Ｓ５０６でＣＰＵ３０１はパッチ画像を測定した回数をカウントするためのカウンタのカウント値Ｎまたは変数を０に初期化する。Ｓ５０７でＣＰＵ３０１はパッチ画像がカラーセンサ１７０の測定領域に到達したかどうかを判定する。記録媒体１１０の先端位置からパッチ画像２０９−１までの距離は既知である。また、記録媒体１１０の搬送速度も既知である。したがって、反転部１３６で搬送方向が反転されて戻ってきた記録媒体１１０の先端がシートセンサ１３７に測定された時間から所定時間後にパッチ画像２０９−１がカラーセンサ１７０の測定領域に到達する。この所定時間は、シートセンサ１３７の測定位置とカラーセンサ１７０の測定位置との間の距離、記録媒体１１０の先端位置からパッチ画像２０９−１までの距離、および、搬送速度から算出される。したがって、ＣＰＵ３０１は、反転部１３６から戻ってきた記録媒体１１０の先端がシートセンサ１３７に測定されるとタイマーをスタートさせ、タイマーのカウント値が所定時間になると、パッチ画像がカラーセンサ１７０の測定領域に到達したと判定する。パッチ画像２０９−２ないしパッチ画像２０９−５についても同様にタイマーを用いてカラーセンサ１７０の測定領域に到達したかどうかが判定される。これには、パッチ画像２０９−１ないしパッチ画像２０９−５の各パッチ幅と間隔とが既知であることが利用される。パッチ画像２０９がカラーセンサ１７０に到達すると、ＣＰＵ３０１はＳ５０８に進む。
【００２８】
Ｓ５０８でＣＰＵ３０１はカラーセンサ１７０を制御してパッチ画像を測定する。なお、カラーセンサ１７０はＳ５０２で決定された蓄積設定（蓄積時間と測定回数）を用いてパッチ画像２０９を測定する。図６が示すように、パッチ画像２０９ごとに蓄積設定は異なりうる。Ｓ５０９でＣＰＵ３０１はカウント値Ｎを１つインクリメントする。Ｓ５１０でＣＰＵ３０１は一つのパッチ画像２０９に対して測定処理を実行した回数を示すカウント値Ｎが、記録媒体１１０の種類に応じて決定された測定回数Ｍに到達したかどうかを判定する。カウント値Ｎが規定の測定回数Ｍに到達していなければ、ＣＰＵ３０１はＳ５０８に戻り、次の測定を実行する。一方、カウント値Ｎが規定の測定回数Ｍに到達していれば、ＣＰＵ３０１はＳ５１１に進む。
【００２９】
Ｓ５１１でＣＰＵ３０１はカラーセンサ１７０により取得されたパッチ画像２０９の測定結果を平均化する。たとえば、ＣＰＵ３０１は記録媒体１１０の種類に対応した測定回数でもって測定結果の平均値を算出する。平均化は演算部２０４で実行されてもよい。この場合、演算部２０４は回数設定部２０８から測定回数を読み出し、測定結果の積算値を測定回数で除算することで平均化処理を実行する。なお、パッチ画像ごとに設定された測定回数が使用される。Ｓ５１２でＣＰＵ３０１は平均化された測定結果に基づき分光反射率Ｒ（λ）を演算する。分光反射率Ｒ（λ）演算部２０４にて実行されてもよい。ここで、ＣＰＵ３０１や演算部２０４は蓄積時間に応じて分光反射率Ｒ（λ）を正規化する。たとえば、蓄積パターン０の蓄積時間が基準値であり、蓄積パターン１の蓄積時間は基準値の２倍に設定されており、蓄積パターン２の蓄積時間は基準値の４倍に設定されており、蓄積パターン３の蓄積時間は基準値の８倍に設定されていると仮定する。蓄積パターン１が選択されると、ＣＰＵ３０１は分光反射率Ｒ（λ）を２で除算する。蓄積パターン２が選択されると、ＣＰＵ３０１は分光反射率Ｒ（λ）を４で除算する。蓄積パターン３が選択されると、ＣＰＵ３０１は分光反射率Ｒ（λ）を４で除算する。これにより正規化が実行されてもよい。
【００３０】
Ｓ５１３で記録媒体１１０に形成されたすべてのパッチ画像２０９の測定が完了したかどうかを判定する。たとえば、パッチ画像２０９が５個であれば、これらのすべてについて分光反射率Ｒ（λ）の演算が完了したかどうかが判定される。まだ、測定の完了していないパッチ画像２０９が存在すれば、ＣＰＵ３０１はＳ５０６に戻り、次のパッチ画像２０９について測定処理を実行する。一方、すべてのパッチ画像２０９の測定が完了していれば、ＣＰＵ３０１はＳ５１４に進む。Ｓ５１４でＣＰＵ３０１はカラーセンサ１７０の白色ＬＥＤ２０１を消灯する。その後、ＣＰＵ３０１はパッチ画像２０９から求められた分光反射率Ｒ（λ）を用いて出力プロファイルを生成または更新する。
【００３１】
＜パッチ画像＞
画像形成装置１００のステーションはそれぞれ光学濃度の異なる複数のパッチ画像２０９−１ないしパッチ画像２０９−５を記録媒体１１０に形成する。図７によれば、パッチ画像２０９−１ないしパッチ画像２０９−５が記録媒体１１０の搬送方向に沿って並んで配置されている。したがって、記録媒体１１０を搬送することで、パッチ画像２０９−１ないしパッチ画像２０９−５が順番にカラーセンサ１７０により測定される。本実施例において、たとえば、記録媒体１１０の搬送速度は３００ｍｍ／ｓであり、記録媒体１１０の搬送方向におけるパッチ画像２０９の大きさ（パッチ幅）は２１ｍｍである。複数のパッチ画像が形成された記録媒体１１０はテストチャートと呼ばれてもよい。
【００３２】
＜蓄積時間＞
図６に示したテーブルＡ，Ｂから明らかなように、本実施例では記録媒体１１０の種類に応じた蓄積時間と測定回数がカラーセンサ１７０に設定される。上述したように、カラーセンサ１７０でパッチ画像２０９の分光反射率を測定する際、白色ＬＥＤ２０１がパッチ画像２０９に光を照射し、ラインセンサ２０３がパッチ画像２０９からの反射光を受光する。なお、反射光は回折格子２０２で波長に応じて分光されている。
【００３３】
図８（Ａ）が示すようにパッチ画像２０９の画像濃度が濃い場合、記録媒体１１０の下地（表面）からの反射光の大部分はパッチ画像２０９で遮られる。したがて、ラインセンサ２０３での受光量ではパッチ画像２０９からの反射光が支配的となる。一方、図８（Ｂ）が示すようにパッチ画像２０９の画像濃度が薄い場合、記録媒体１１０からの反射光はパッチ画像２０９で遮られにくくなる。そのため、ラインセンサ２０３での受光量はパッチ画像２０９からの反射光量と記録媒体１１０からの反射光量とが合算されたものとなる。
【００３４】
また、光沢紙や普通紙など、種類の異なる記録媒体１１０に同一濃度のパッチ画像２０９を形成した場合にも、記録媒体１１０の種類に依存してラインセンサ２０３で受光量が異なってしまう。この現象はパッチ画像２０９の画像濃度が薄い場合により顕著となる。一般的に普通紙と比較して光沢紙のような反射率の高い記録媒体１１０では、受光量が多くなる。
【００３５】
図９（Ａ）は普通紙に形成された所定濃度のパッチ画像２０９について波長と受光量との関係（分光反射率）を示している。図９（Ｂ）は光沢紙に形成された所定濃度のパッチ画像２０９について波長と受光量との関係を示している。所定濃度のパッチ画像２０９として、ここでは図６、図７に示したパッチ画像２０９−５が採用されている。蓄積パターン０の蓄積時間は２ｍｓである。蓄積パターン１の蓄積時間は４ｍｓである。蓄積パターン２の蓄積時間は８ｍｓである。蓄積パターン３の蓄積時間は１６ｍｓである。図９（Ａ），図９（Ｂ）が示すように蓄積時間が長くなると、ラインセンサ２０３での受光量（測定光量）も多くなる。また、図９（Ａ），図９（Ｂ）が示すように同一画像濃度のパッチ画像を同一蓄積時間で測定したとしても、記録媒体１１０の種類に依存してラインセンサ２０３での測定光量が異なる。図９（Ａ）が示すように、普通紙では、蓄積パターン０〜３において４００ｎｍから７００ｎｍまでの全波長域においてパッチ画像２０９−５からの反射光の測定光量が飽和することはない。電気的なノイズの影響を考えると、測定光量が多くなるように蓄積パターンを設定したほうが、暗ノイズつまり不要信号に対する有効信号比（Ｓ／Ｎ）が高くなる。つまり測色精度が高くなる。そのため、普通紙においてはパッチ画像２０９−５の測定には蓄積パターン３が採用される。一方、図９（Ｂ）が示すように、光沢紙では、蓄積パターン３において６００ｎｍから６７０ｎｍの波長域でパッチ画像２０９−５の測定光量が飽和している。これはパッチ画像２０９−５からの反射光量にパッチ画像２０９−５の下部にある記録媒体１１０からの反射光量が重畳されるためである。このように測定光量が飽和した状態のまま、パッチ画像２０９−５の濃度演算を行うと正しい測定結果が得られない。そのため、記録媒体１１０の種類に応じて測定光量が飽和しないような蓄積パターンが設定される。図９（Ｂ）によれば、光沢紙においてパッチ画像２０９−５に適切な蓄積パターンは蓄積パターン２である。このように記録媒体１１０の種類とパッチ画像２０９の画像濃度との組み合わせに応じて蓄積時間が設定される。この設定はシミュレーションや実験により実行される。
【００３６】
＜測定回数＞
図１０はカラーセンサ１７０の測定領域をパッチ画像２０９が通過する通過時間と各蓄積パターンの測定タイミングを示している。実施例において記録媒体１１０の搬送速度は３００ｍｍ／ｓであり、パッチ幅は２１ｍｍである。したがって、カラーセンサ１７０の測定領域をパッチ画像２０９が通過するのに要する時間（通過時間）は７０ｍｓとなる。一方、蓄積パターン０、１、２、３における蓄積時間はそれぞれ２ｍｓ、４ｍｓ、８ｍｓ、１６ｍｓである。そのため、測定回数が１回だとそれぞれの蓄積パターンにおいてパッチ画像２０９の一部しか測定されず、ノイズなどの影響を低減できない。ノイズ低減の観点から、それぞれの蓄積パターンにおいて可能な限り、搬送方向におけるパッチ画像２０９の全域が測定されるべきであろう。よって、図１０に示すように蓄積パターン０のときは測定回数が３２回に設定される。測定時間は蓄積時間と測定回数を乗算することで得られる積である（２ｍｓ×３２回＝６４ｍｓ）。蓄積パターン１のときは測定回数が１６回に設定される。蓄積パターン２のときは測定回数が８回に設定される。蓄積パターン３のときは測定回数が４回に設定される。これにより、パッチ画像２０９の通過時間７０ｍｓ対して測定時間６４ｍｓに相当するパッチ画像２０９の領域が測定される。つまり、パッチ画像２０９の全域がほぼ測定される。通過時間７０ｍｓに対して測定領域が６４ｍｓに相当する領域に設定されている理由は、パッチ画像２０９を形成した記録媒体１１０の搬送速度のムラなどの影響を緩和するためのマージンが必要だからである。つまり、このようなマージンを持たせることで、パッチ画像２０９以外の部分、つまり記録媒体１１０の下地を測定してしまうことが減るであろう。
【００３７】
＜まとめ＞
本実施例によれば、ＣＰＵ３０１は記録媒体の種類を示す情報を取得し、取得された種類を示す情報に応じて蓄積時間を決定する。各ステーションが複数の色剤を用いてパッチ画像を記録媒体上に形成すると、カラーセンサ１７０は決定された蓄積時間にわたってパッチ画像からの反射光を蓄積することでパッチ画像の分光反射率を測定する。このように、本実施例では記録媒体の種類に依存して蓄積時間や測定回数が決定ないしは設定されるようになる。その結果、カラーセンサ１７０における受光量の飽和が発生しにくくなり、測色精度が向上しよう。つまり、記録媒体に形成された測定用画像を高精度に測定することが可能となる。本実施例では記録媒体の種類として普通紙と光沢紙を例示したが、これは一例に過ぎない。パッチ画像の測定結果（分光反射率）に影響を及ぼすような表面特性の違いを識別可能な種類情報であれば採用可能である。
【００３８】
ＣＰＵ３０１（時間決定部４２２）は、測定用画像であるパッチ画像が第１の記録媒体に形成される場合には、蓄積時間を第１蓄積時間に決定してもよい。また、ＣＰＵ３０１（時間決定部４２２）は、パッチ画像が第２の記録媒体に形成される場合には、蓄積時間を第１蓄積時間より長い第２蓄積時間に決定してもよい。なお、第１の記録媒体から反射される光の強度は、第２の記録媒体から反射される光の強度よりも高い。第１の記録媒体から反射される光の強度は、第２の記録媒体から反射される光の強度よりも高い場合に、第１の記録媒体は第２の記録媒体よりも測定結果の飽和が発生しやすい。したがって、第１蓄積時間より第２蓄積時間を長する（つまり、第１蓄積時間を第２蓄積時間よりも短くする）ことで飽和が発生しにくくなる。
【００３９】
ＣＰＵ３０１や判別部３０２は操作パネル１８０などを通じて操作者により入力される種類を示す情報を受け付けることで、当該情報を取得してもよい。また、ＣＰＵ３０１や判別部３０２は、反射率測定部１７１などを用いて種類を示す情報を取得してもよい。反射率測定部１７１は、記録媒体に光を照射する発光素子と、記録媒体からの反射光を受光する受光素子とを備えている。ＣＰＵ３０１や判別部３０２は、受光素子から出力される信号強度に基づいて記録媒体の種類を判別してもよい。
【００４０】
ＣＰＵ３０１は、複数のパッチ画像のそれぞれの光学濃度（画像濃度）と取得された種類を示す情報との組み合わせに応じて各パッチ画像ごとに蓄積時間を決定してもよい。パッチ画像の光学濃度に依存して、測定結果を飽和させるような記録媒体の種類は異なるからである。図６を用いて説明したように、光学濃度と記録媒体の種類との組み合わせに応じた蓄積時間を登録したテーブルがメモリ２０５などの記憶装置に保持されていてもよい。この場合、ＣＰＵ３０１はテーブルを参照することで、複数のパッチ画像のそれぞれの光学濃度と取得された種類を示す情報との組み合わせに対応する各パッチ画像ごとの蓄積時間を決定できるようになる。
【００４１】
ＣＰＵ３０１は、複数のパッチ画像のそれぞれの光学濃度と取得手段により取得された種類を示す情報との組み合わせに応じて一つのパッチ画像に対して測定手段が測定を行う測定回数を決定ないしは設定する決定手段（設定手段）として機能してもよい。より多くの測定結果を収集してその平均値を求めることで、測定結果に含まれるノイズが低減される。図１０に示したように、各パッチ画像の搬送方向の長さが一定であれば、蓄積時間の違いに応じて測定可能な測定回数は変化する。したがって、蓄積時間が短いパッチ画像では測定回数を多くすることで、ノイズを低減しやすくなろう。なお、ＣＰＵ３０１や演算部２０４は、測定回数を用いて測定手段の測定結果の平均値を決定する平均化手段として機能する。
【００４２】
図１０に関して説明したように、カラーセンサ１７０がパッチ画像を測定し、かつ、パッチ画像の周辺を誤測定しないようにするために、パッチ画像のサイズにマージンが付与されてもよい。つまり、記録媒体１１０の搬送方向におけるパッチ画像の長さ（例：２１ｍｍ）を記録媒体１１０の搬送速度（例：３００ｍｍ／ｓ）で除算するとパッチ画像の通過時間（例：７０ｍｓ）が得られる。この通過時間と比較し、パッチ画像の蓄積時間と測定回数との積である測定時間（例：６４ｍｓ）は短くなる。このような条件が満たされるように、パッチ生成部４２４はパッチ画像の画像データを生成してもよい。
【００４３】
蓄積時間は値であってもよいが、蓄積パターン０ないし３のように、インデックスにより識別されてもよい。これにより蓄積時間を表すビット数を削減することが可能となる。ＣＰＵ３０１や演算部２０４は、測定手段に使用された蓄積時間と予め基準値として定められた基準蓄積時間との比で、測定結果である分光反射率を除算する演算手段として機能してもよい。蓄積時間はパッチ画像と記録媒体の種類との組み合わせに応じて異なるため、蓄積時間の違いに応じて測定結果は正規化される必要があろう。したがって、使用された蓄積時間と基準蓄積時間（例：蓄積パターン０の蓄積時間が２ｍｓ）との比で測定結果が除算されてもよい。
【００４４】
上述したように、カラーセンサ１７０により測定された分光反射率を用いてプロファイル作成部４１２は、カラーマッチングのための変換テーブルを作成する作成手段として機能してもよい。本実施例では、カラーセンサ１７０により測定された分光反射率の精度が向上するため、変換テーブルの精度も向上し、その結果としてカラーマッチングの精度も向上しよう。
【００４５】
図１を用いて説明したように、搬送路に設けられている搬送ローラやそれを駆動するモータは記録媒体を搬送する搬送手段として機能する。カラーセンサ１７０は、搬送手段により搬送されている記録媒体に形成されているパッチ画像から分光反射率を測定する。これにより、パッチ画像内の複数個所から分光反射率を測定することが可能となり、ノイズの影響が低減されよう。
【００４６】
図１を用いて説明したように、カラーセンサ１７０は、定着機構を通過してきた記録媒体を搬送する搬送路に設けられている。この搬送路は、一面目に画像が形成された記録媒体の二面目に画像を形成させるために記録媒体の搬送方向を反転させて、再び当該記録媒体を画像形成手段に給紙するための搬送路であってもよい。パッチ画像を記録媒体に定着させた直後は記録媒体が熱を持っており、いわゆるサーモクロミズム現象によってカラーセンサ１７０の測定結果に誤差をもたらす。したがって、定着機構から離れた位置にカラーセンサ１７０が設けることで、搬送時間が長くなり、記録媒体の温度を十分に低下させることが可能となろう。
【００４７】
なお、カラーセンサ１７０にＣＰＵ３０１が含まれてもよいし、上述したＣＰＵ３０１の機能が演算部２０４に実装されてもよい。つまり、取得手段、決定手段および測定手段が設けられたカラーセンサ１７０が提供されてもよい。
【００４８】
上記の実施例ではＩＣＣプロファイルが一例として採用された。しかし、変換テーブルは、アドビ社が提唱したＣＲＤ（カラーレンダリングディレクトリ）やＰｈｏｔｏｓｈｏｐ（登録商標）が備える色分解テーブル、ＥＦＩ社が提唱したＣＭＹＫシミュレーションなどであってもあってもよい。
【符号の説明】
【００４９】
１００…画像形成装置、１７０…カラーセンサ、３０１…ＣＰＵ、４２２…時間決定部
【図１】
2017151174.tif 000003
【図２】
2017151174.tif 000004
【図３】
2017151174.tif 000005
【図４】
2017151174.tif 000006
【図５】
2017151174.tif 000007
【図６】
2017151174.tif 000008
【図７】
2017151174.tif 000009
【図８】
2017151174.tif 000010
【図９】
2017151174.tif 000011
【図１０】
2017151174.tif 000012